(57)【要約】      （修正有）【課題】１台の機械により床材はがし、掘削、押土、積込みが出き、作業効率及び経済性が向上する床材はがし機を提供する。【解決手段】バックホウに簡単に着脱できるようにした剥取用ブレードとスクレーパー（刃先）上部に切込溝をつける事により、従来より３〜５倍剥取面積を伸ばした為経済性と作業効率の向上が可能となった。【選択図】図１
0003163492.tif 000002
【実用新案登録請求の範囲】
【請求項１】
バックホウに簡単に着脱できるようにした  床材剥取用ブレードと  床面に密着するようにスクレーパー（刃先）を取りつけられ  剥取った床材が機械に巻き込まれないように  角度をつけた床材はがし機
【請求項２】
スクレーパー（刃先）上部に  ３回使えるように切込溝をいれたスクレーパー（刃先）
【考案の詳細な説明】
【技術分野】
【０００１】この考案はバックホウに取り付ける  アタッチメントであり  機械工学に関するものである。
【背景技術】
【０００２】従来の床材はがし機には  本体と一体化したものがある。
（例えば特開２００８−２７４６６１）図１のように床材はがし専用機である。
【先行技術文献】
【特許文献】
【０００３】
【特許文献１】  特開２００８−２７４６６１号広報（第９頁，図１）
【特許文献２】  特開２００８−２０２３０９号広報（第７頁，図１）
【考案の概要】
【考案が解決しようとする課題】
【０００４】従来の床材はがし機は専用機として構成され  スクレーパー（刃先）を起振装置により振動させるのが一般的であり  起振装置でスクレーパー（刃先）が  見えにくく騒音を伴う欠点があった。
又専用機の為  高額な機械となり  スクレーパー（刃先）に振動を与えるのでスクレーパー（刃先）の消耗が早い。
【課題を解決するための手段】
【０００５】従来の床材はがし機は専用機として造られており  床材はがし以外使用できず経済的に悪い門題点があるので剥取り用ブレードとし  いつでも交換できるようにした【０００６】従来はスクレーパー（刃先）に振動を与え  床材をはがす方法である．スクレーパー（刃先）の消耗が早く採算性が悪い門題点がある為  剥取り用ブレードの角度を床材に密着するようにし  振動は与えないようにした。【０００７】従来のスクレーパー（刃先）は１回使いの為採算性が悪くしかも交換に用する作業時間がかかり  作業能率の低下をひきおこしていたのでスクレーパー（刃先）上部に取付溝を作りボルトを緩めスクレーパー（刃先）をスライドさせるだけで  ３回使いが可能とした。【０００８】本考案は  上記門題点を改良すべく  小型バックホウに簡単に取り付け出来るようにした  剥取用ブレードであり作業効率の向上を図れる。  またスクレーパー（刃先）取付ボルトの穴を溝に改良し  スクレーパー（刃先）を脱着する事無くスライドするだけで  スクレーパー（刃先）のはがし面積をのばし  採算性の向上を図ることができるようにした考案である。
【考案の効果】
【０００９】従来は床材はがし機専用として構成されており  床材はがし作業以外できず休止時間が多く  採算性が悪かった。本孝案剥取用ブレードにより排土板を交換する事で１台の機械により床材はがし  掘削．押土．積込みが出きるようになり  作業効率  及び経済性が向上した。【００１０】従来のスクレーパー（刃先）は  取付けボルト孔が決まっており  １回の使用しか出来ず刃先２センチ程度しか使えなかったが  取り付け孔を溝にする事により３回の使用が可能になり  ６センチ程度迄使用できるので経済性が向上し  取替え時間もボルトをゆるめ  スクレーパー（刃先）をずらし  ボルトを締めるだけでよく作業効率が向上した。
【図面の簡単な説明】
【００１１】
【図１】  本考案による床材はがし機の実施の形態を示す側面図
【図２】  本考案による床材はがし機の平面図
【図３】  本考案による床材はがし機の正面図
【図４】  本考案による床材はがし機の側面図
【図５】  本考案による床材はがし機の取付詳細図
【図６】  本考案によるスクレーパー（刃先）の取付溝図
【考案を実施するための形態】
【００１２】図１は本考案床材はがし機アタッチメントの実施の形態を示す側面図．図２は床材はがし機アタッチメントの２平面図であり  図４は床材はがし機アタッチメントの着面図である．バックホウ本体１にブレードヘッドピンを２本とブレードシリンダートップピン３  １本を脱する事で本考案剥取用ブレードと交換出来る。
【００１３】図４の側面図のように  剥取用ブレード６  の角度を床面に密着するように角度をもたせ  ボルトガード４にて  スクレーパー（刃先）７  をスクレーパー（刃先）固定ボルト５  ３本で固定する。又ボルトカード４は剥がした床材がスクレーパー（刃先）固定ボルト５  及び剥取用ブレード６  をのり超えないように角度をつけた。
【００１４】図６はスクレーパー（刃先）７  の取付溝である。
スクレーパー（刃先）７  の上部に図６のように切込み溝を作り  最初はＡ位置を使用し  次にＢ．Ｃ．位置とずらせるように  溝をつけた。
【実施例】
【００１５】従来の床材はがし機は  本体一体型が主流であり刃先に振動を与え床材をはがしていたが  本考案使用で専用機は不用となり  バックホウに簡単に取付けるだけで床材はがしが出来るようになった。又振動を与えないのでスクレーパー（刃先）の磨耗も少なくスクレーパー（刃先）の溝の考案により  飛躍的に床材はがし面積が増加し経済性  作業効率の向上を図る事が出来る。
【産業上の利用可能性】
【符号の説明】１：バックホウ本体，２：フロントヘッドピン
３：ブレドシリンダートップピン，４：ボルトカバー
５：スクレーパー（刃先）固定ボルト
６：剥取り用ブレード，７：スクレーパー（刃先）
【図１】
0003163492.tif 000003
【図２】
0003163492.tif 000004
【図３】
0003163492.tif 000005
【図４】
0003163492.tif 000006
【図５】
0003163492.tif 000007
【図６】
0003163492.tif 000008
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
バックホウに簡単に着脱できるようにした床材剥取用ブレード
【手続補正２】
【補正対象書類名】明細書
【補正対象項目名】０００４
【補正方法】変更
【補正の内容】
【０００４】従来の床材はがし機は専用機として構正され剥取用ブレードを起振装置により振動させるのが一般的であり起振装置で剥取用ブレード先端が見えにくく騒音を伴う欠点があった。
又専用機の為  高額な機械となり経済的に門題点があった。
【手続補正３】
【補正対象書類名】明細書
【補正対象項目名】０００５
【補正方法】変更
【補正の内容】
【０００５】従来の床材はがし機は専用機として造られており床材はがし以外使用できず経済的に悪い問題点があるので  床材剥取用ブレードを着脱可能式としいつでも交換できるようにした。
【手続補正４】
【補正対象書類名】明細書
【補正対象項目名】０００６
【補正方法】変更
【補正の内容】
【０００６】従来は剥取用ブレードに振動を与え  床材をはがす方法であり剥取用ブレードの消耗が早く採算性が悪い門題点がある為  床材剥取用ブレードの  角度を床材に対し  ２０度から２２度とし振動は与えないようにした。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】本考案は上記門題点を改良すべく小型バックホウに簡単に着脱できるようにした  床材剥取用ブレードであり  作業効率の向上  採算性の向上を  図ることができるようにした考案である。
【手続補正７】
【補正対象書類名】明細書
【補正対象項目名】０００９
【補正方法】変更
【補正の内容】
【０００９】従来は床材はがし専用機として構成されており  床材はがし作業以外できず休止時間が多く採算性が悪かった。本考案床材剥取用ブレードと排土板を交換する事で  １台の機械により床材はがし，掘削，押土，積込みが出来るようになり作業効率及び経済性が向上した。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
【図１】  本考案による床材はがし機の実施の形態を示す側面図
【図２】  本考案による床材はがし機の平面図
【図３】  本考案による床材はがし機の正面図
【図４】  本考案による床材はがし機の側面図
【図５】  本考案による床材はがし機の取付詳細図
【手続補正１０】
【補正対象書類名】明細書
【補正対象項目名】００１２
【補正方法】変更
【補正の内容】
【００１２】図１は本考案床材剥取用ブレードの実施の形態を示す側面図．図２は床材剥取用ブレードの平面図であり．図３は床材剥取用ブレードの刃先固定方法を示す平面図である．図４は床材剥取用ブレードの側面図である。バックホウ本体▲１▼にフロントヘッドピン▲２▼２本と  ブレードシりンダートップピン▲３▼１本を脱着することで本考案床材剥取用ブレードと交換出来る。
【手続補正１１】
【補正対象書類名】明細書
【補正対象項目名】００１３
【補正方法】変更
【補正の内容】
【００１３】図４の側面図のように床材剥取用ブレード▲６▼の角度を床面より２０度から２２度としボルトカバー▲４▼にて刃先▲７▼を固定ボルト▲５▼３本で固定する．又ボルトカバー▲４▼は剥がした床材がボルトカバー▲４▼をのり超えないよう床材剥取用ブレード▲６▼に対し６０度の角度をつけた。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】従来の床材はがし機は本体一体型が主流であり剥取用ブレードに振動を与え  床材をはがしていたが．本考案使用で専用機は不用となりバックホウに簡単に取付るだけで床材はがしが出来るようになり又刃先に振動を与えないので刃先の磨耗も少く経済性作業効率の向上を図る事ができる。
【手続補正１４】
【補正対象書類名】明細書
【補正対象項目名】００１６
【補正方法】変更
【補正の内容】
【００１６】▲１▼バックホウ本体    ▲２▼フロントヘッドピン
▲３▼ブレードシリンダートップピン
▲４▼ボルトカバー    ▲５▼固定ボルト
▲６▼床材剥取用ブレード    ▲７▼刃先
【手続補正１５】
【補正対象書類名】図面
【補正対象項目名】図６
【補正方法】削除
【補正の内容】
【手続補正書】
【提出日】平成21年12月16日(2009.12.16)
【手続補正１】
【補正対象書類名】実用新案登録請求の範囲
【補正対象項目名】全文
【補正方法】変更
【補正の内容】
【実用新案登録請求の範囲】
【請求項１】
油圧ショベル排土板を床面と２０度から２２度とし排土板の幅が３５ｃｍで  剥取った床材がまとわりつかない構造を有する床材剥取用ブレード
【手続補正２】
【補正対象書類名】明細書
【補正対象項目名】０００４
【補正方法】変更
【補正の内容】
【０００４】従来の床材はがし機は専用機として構正され剥取用ブレードを起振装置により振動させるのが一般的であり  起振装置が大きく剥取用ブレード先端が見えにくく作業効率の低下及び起振装置の騒音を伴う欠点があった。
又専用機の為床材はがし専用の為高額な機械と  なり経済的に門題点があった。
【手続補正３】
【補正対象書類名】明細書
【補正対象項目名】０００５
【補正方法】変更
【補正の内容】
【０００５】従来の床材はがし機は専用機として造られており床材はがし以外使用できず経済的に悪い問題点があるので  床材剥取用ブレードを着脱可能式としいつでも排土板と交換できるようにした。
【手続補正４】
【補正対象書類名】明細書
【補正対象項目名】０００６
【補正方法】変更
【補正の内容】
【０００６】従来は剥取用ブレードに振動を与え  床材をはがす方法であり  振動により刃先の消耗が早く採算性が悪い門題点があった為床材剥取用ブレードの角度を床材に対し２０度から２２度とし振動は  与えず切削方式とし刃先の磨耗を軽減した。
【手続補正５】
【補正対象書類名】明細書
【補正対象項目名】０００８
【補正方法】変更
【補正の内容】
【０００８】本考案は上記門題点を改良すべく油圧ショベル排土板の角度を床面と２０度から２２度とし排土板の幅を３５ｃｍとし剥取った床材がまとわりつかない構造とした床材剥取用ブレードであり  簡単に排土板と交換でき  作業効率の向上採算性の向上を図ることができるようにした考案である。
【手続補正６】
【補正対象書類名】明細書
【補正対象項目名】０００９
【補正方法】変更
【補正の内容】
【０００９】従来は床材はがし専用機として構成されており  床材はがし作業以外できず休止時間が多く採算性が悪かった。本考案床材剥取用ブレードと排土板を交換する事で  １台の機械により床材はがし，掘削，押土，積込みが出来るようになり作業効率及び経済性が向上した。
【手続補正７】
【補正対象書類名】明細書
【補正対象項目名】００１１
【補正方法】変更
【補正の内容】
【００１１】
【図１】本考案による床材剥取用ブレードの実施の形態を示す側面図
【図２】本考案による床材剥取用ブレードの平面図
【図３】本考案による床材剥取用ブレードの正面図
【図４】本考案による床材剥取用ブレードの側面図
【図５】本考案による床材剥取用ブレードの取付詳細図
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
油圧ショベル整地用ブレードの角度を７５度前後から  床面と２０〜２２度としブレードの幅も３５ｃｍと小さくし剥取った床材がまとわりつかない構造を有する床材剥取用ブレード。
【手続補正２】
【補正対象書類名】明細書
【補正対象項目名】０００４
【補正方法】変更
【補正の内容】
【０００４】従来の床材はがし機は専用機として構正され剥取用ブレードを起振装置により振動させるのが一般的であり  起振装置が大きく剥取用ブレード先端が見えにくく作業効率の低下及び起振装置の騒音を伴う欠点があった。
又床材はがし専用機の為  休止時間が多く高額な機械となり経済的に門題点があった。
【手続補正３】
【補正対象書類名】明細書
【補正対象項目名】０００５
【補正方法】変更
【補正の内容】
【０００５】従来の床材はがし機は専用機として造られており床材はがし以外使用できず経済的に悪い問題点があるので  床材剥取用ブレードを着脱可能式としいつでも整地用ブレードと交換できるようにした。
【手続補正４】
【補正対象書類名】明細書
【補正対象項目名】０００６
【補正方法】変更
【補正の内容】
【０００６】従来は剥取用ブレードに振動を与え  床材をはがす方法であり振動により刃先の消耗が早く採算性が悪い門題点があった為  床材剥取用ブレードの角度を床材に対し２０〜２２度とし振動は与えず切削方式とし刃先の磨耗を軽減した。
【手続補正５】
【補正対象書類名】明細書
【補正対象項目名】０００８
【補正方法】変更
【補正の内容】
【０００８】本考案は上記門題点を改良すべく整地用ブレードの幅を３５ｃｍとし  角度を床面と２０〜２２度として  剥取った床材がまとわりつかないようにボルトカバーを有する床材剥取用ブレードであり簡単に整地用ブレードと交換でき作業効率の向上採算性の向上を図ることができるようにした考案である。
【手続補正６】
【補正対象書類名】明細書
【補正対象項目名】０００９
【補正方法】変更
【補正の内容】
【０００９】従来は床材はがし専用機として構成されており床材はがし作業以外できず休止時間が多く採算性が悪かった。本考案床材剥取用ブレードと整地用ブレードを交換する事で１台の機械により床材はがし，掘削，押土，積込みが出来るようになり作業効率及び経済性が向上した。
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
油圧ショベル整地用ブレードの角度を床材が剥取やすい角度  床材と２０〜２２度とし  ブレードの幅も剥取る床材が剥がれやすい幅  ３５ｃｍとし剥取った床材がまとわりつかない構造を有する  床材剥取用ブレード。